(57)【要約】【課題】生体内に挿入する挿入部有する超音波プローブを用いて穿刺針の刺入を行うときに、穿刺針の案内を安定して行うことが可能で、さらに、穿刺針を容易に外すことが可能な穿刺アダプタ及び超音波プローブを提供すること。【解決手段】穿刺アダプタ３は、断面が切り欠きを有する第１の筒状部材３１を有し、切り欠きは第１の筒状部材の一端側から他端側に亘り且つ少なくとも超音波プローブ１のガイド溝１１の幅より広い幅に切り欠かれ、第１の筒状部材は挿入部の外側に接してガイド溝を覆うように装着され、且つその周方向に回動自在に装着されることを特徴とする。【選択図】図１
2008061808.tif 000002
【特許請求の範囲】
【請求項１】
被検体に挿入可能な棒状の挿入部を備え、前記挿入部の先端側に超音波の送受信を行う探触子を有し、前記挿入部の側面に穿刺針をガイドするガイド溝が形成された超音波プローブに装着される穿刺アダプタであって、
断面が切り欠きを有する第１の筒状部材を有し、前記切り欠きは前記第１の筒状部材の一端側から他端側に亘り且つ少なくとも前記ガイド溝の幅より広い幅に切り欠かれ、前記第１の筒状部材は前記挿入部の外側に接して前記ガイド溝を覆うように装着され、且つその周方向に回動自在に装着されることを特徴とする穿刺アダプタ。
【請求項２】
前記第１の筒状部材の一端側から他端側の長さがその周方向において異なる請求項１に記載の穿刺アダプタ。
【請求項３】
前記第１の筒状部材は、前記挿入部に装着されたときに前記挿入部の奥側に向って前記孔の径が大きくなる請求項１または請求項２に記載の穿刺アダプタ。
【請求項４】
前記第１の筒状部材は、その周方向に沿って複数の切り欠き、凹凸形状または穴、或いは、突起を有する請求項１乃至請求項３のいずれかに記載の穿刺アダプタ。
【請求項５】
前記第１の筒状部材は、前記孔に前記挿入部を挿入することによって前記挿入部に装着される請求項１乃至請求項４のいずれかに記載の穿刺アダプタ。
【請求項６】
前記第１の筒状部材は、バネ性を有する材料からなる請求項１乃至請求項５のいずれかに記載の穿刺アダプタ。
【請求項７】
前記第１の筒状部材と連結され、断面がほぼ円形の孔を有する第２の筒状部材をさらに有し、前記第２の筒状部材は前記挿入部の外側に接して装着され、且つその周方向に前記第１の筒状体とともに回動自在に装着される請求項１乃至６のいずれかに記載の穿刺アダプタ。
【請求項８】
前記第２の筒状部材は、その周方向に沿って複数の切り欠き、凹凸形状または穴、或いは、突起を有する請求項７に記載の穿刺アダプタ。
【請求項９】
前記第２の筒状部材は、バネ性を有する材料からなる請求項７または請求項８に記載の穿刺アダプタ。
【請求項１０】
被検体に挿入可能な棒状の挿入部を備え、前記挿入部の先端側に超音波の送受信を行う探触子を有し、前記挿入部の側面に穿刺針をガイドするガイド溝が形成された超音波プローブ本体と、
断面が切り欠きを有する第１の筒状部材を有し、前記切り欠きは前記第１の筒状部材の一端側から他端側に亘り且つ少なくとも前記ガイド溝の幅より広い幅に切り欠かれ、前記第１の筒状部材は前記挿入部の外側に接して装着され、且つその周方向に回動自在に装着される穿刺アダプタとからなることを特徴とする超音波プローブ。
【請求項１１】
前記穿刺アダプタは、前記第１の筒状部材と連結され、断面がほぼ円形の孔を有する第２の筒状部材をさらに備え、前記第２の筒状部材は前記挿入部の外側に接して装着され、且つその周方向に前記第１の筒状体とともに回動自在に装着される請求項１０に記載の超音波プローブ。
【発明の詳細な説明】
【技術分野】
【０００１】
本発明は、穿刺針を被検体に刺し入れて患部の組織を採取又は治療する穿刺術に用いられる超音波プローブに装着される穿刺アダプタ及び超音波プローブ本体と穿刺アダプタとからなる超音波プローブに関するもので、特に、挿入部を生体内に挿入して用いられるものに関する。
【背景技術】
【０００２】
従来から、注射針等の穿刺針を生体内に刺入して、腫瘍などの組織の採取等の検査や、薬剤の局所投与或いは穿刺針からのマイクロ波やラジオ波の照射等の温熱治療などを行う穿刺術が行われている。このような穿刺術は、損傷により大出血を起こす危険性のある血管などを避けるために、或いは、目的である腫瘍などの組織に対して確実に穿刺するために、一般的には、超音波診断装置によって生成される断層画像を参照しながら行われている。
【０００３】
一方、腹腔鏡手術において、先端側に超音波振動子列を備える挿入部を生体内に挿入し、上述のような断層画像を参照しての穿刺術が行われている（例えば、特許文献１参照。）。
【０００４】
また、上述のような穿刺術では、超音波プローブや穿刺針は血液などで汚れるため洗浄が行われる。しかしながら、特許文献１に記載されているように穿刺針が一体となっていると、穿刺針や超音波プローブの洗浄がしにくいという問題があった。
【０００５】
また、穿刺針を刺入した後に、その穿刺針を用いて例えばマイクロ波やラジオ波の照射等による温熱治療が行われている間、他方向から目的部位を観察したい場合など、穿刺針との分離が容易ではないために、医師などの操作者は何らかの方法により超音波プローブを保持していなければならない。そのような場合に超音波プローブの保持をしなくても良いように、超音波プローブを穿刺針から外し、その超音波プローブを生体内から出したいという要求があった。
【０００６】
そこで、穿刺針をガイドするガイド溝を備える超音波プローブが用いられている。図１１に従来の超音波プローブ１の一例を示す。超音波プローブ１は、操作者が把持するための略円筒状のグリップ部１３が設けられ、グリップ部１３の一端側にはケーブル１５が接続され、他端側には、グリップ部１３の軸方向と同一方向に棒状の挿入部１０が延設されている。また、挿入部１０の先端には、超音波の発振および受信を行う振動子配列（図示せず）を備える。そして、挿入部１０の先端側の棒状部分の表面に、挿入部１０の軸方向に穿刺針をガイドするためのガイド溝１１が設けられている。また、ガイド溝１１のグリップ部１３側の端部からグリップ部１３方向に、ガイド溝１１の位置の目印となるガイドライン１２が形成されている。また、図１２に超音波プローブ１を腹腔鏡手術に用いて穿刺術を行う場合の説明図を示す。図１２に示すように、腹壁を公知の気腹法或は吊り上げ法などによって上方に持ち上げ、臓器と腹壁との間に空間を設け、腹部に直径約５〜１０ｍｍ程度の穴を数か所開け、その穴にトラカールを挿入する。また、図示しないが、腹腔鏡や内視鏡が空間に備えられ腹部内部の様子が映像としてＴＶモニタなどに表示される。そして、超音波プローブ１をトラカールから生体内に挿入する。そして、断層画像をＴＶモニタに表示させて、穿刺針２を別のトラカールから生体内に挿入し、超音波プローブ１の先端側のガイド溝１１に穿刺針２の先端を入れて、ガイド溝１１に沿わせて患部の方向に刺入する。そして、マイクロ波やラジオ波の照射等による温熱治療を行う。このとき、穿刺針２は、ガイド溝１１に入っているだけであるから、容易に超音波プローブ１を穿刺針２から外すことができる。また、ガイド溝１１は、開口形状であるから容易に洗浄ができる。
【０００７】
また、所謂１インチ・サージェリーのような生体に１インチ程度切開して行う手術にも、挿入部の長さは腹腔鏡手術に用いられるものより短いが、超音波プローブの挿入部のガイド溝を用いて同様に行われている。
【０００８】
【特許文献１】特開平６−１８９９７４号公報
【発明の開示】
【発明が解決しようとする課題】
【０００９】
しかしながら、上述のような穿刺針をガイド溝に沿わせて刺入を行うと、穿刺針は安定しにくく、穿刺針にガイド溝の開口の方向に移動するような力が加わると、穿刺針がガイド溝から外れてしまう場合があった。特に、操作者が慣れていないと穿刺針のガイド溝からの外れを発生させてしまうことがあった。
【００１０】
また、超音波プローブの挿入部の径に近い内径のトラカールを用いて、超音波プローブが挿入されているトラカールから穿刺針を挿入し、トラカールにより穿刺針をガイドするようなことも考えられるが、挿入部の径に近い内径のトラカールを使用できない場合には、挿入部との径の差が大きくなり穿刺針をガイドすることはできない。さらに、腹部にガスを入れて膨らませて行う気腹法においては、径の隙間より空気が漏れてしまう。また、挿入部との径の差が小さいものを用いたとしても図１２に示すように通常トラカールの長さは短く、超音波プローブの先端近傍ではトラカールによる穿刺針のガイドができなくなり刺入方向がずれてしまう場合がある。
【００１１】
本発明は、上記事情に鑑みてなされたものであって、その目的とするところは、生体内に挿入する挿入部を有する超音波プローブを用いて穿刺針の刺入を行うときに、穿刺針の案内を安定して行うことが可能で、さらに、穿刺針を容易に外すことが可能な穿刺アダプタ及び超音波プローブを提供することにある。
【課題を解決するための手段】
【００１２】
上記課題を解決するために請求項１に記載の発明は、被検体に挿入可能な棒状の挿入部を備え、前記挿入部の先端側に超音波の送受信を行う探触子を有し、前記挿入部の側面に穿刺針をガイドするガイド溝が形成された超音波プローブに装着される穿刺アダプタであって、断面が切り欠きを有する第１の筒状部材を有し、前記切り欠きは前記第１の筒状部材の一端側から他端側に亘り且つ少なくとも前記ガイド溝の幅より広い幅に切り欠かれ、前記第１の筒状部材は前記挿入部の外側に接して前記ガイド溝を覆うように装着され、且つその周方向に回動自在に装着されることを特徴としている。
【００１３】
また、請求項１０に記載の発明は、被検体に挿入可能な棒状の挿入部を備え、前記挿入部の先端側に超音波の送受信を行う探触子を有し、前記挿入部の側面に穿刺針をガイドするガイド溝が形成された超音波プローブ本体と、断面が切り欠きを有する第１の筒状部材を有し、前記切り欠きは前記第１の筒状部材の一端側から他端側に亘り且つ少なくとも前記ガイド溝の幅より広い幅に切り欠かれ、前記第１の筒状部材は前記挿入部の外側に接して装着され、且つその周方向に回動自在に装着される穿刺アダプタとからなることを特徴としている。
【発明の効果】
【００１４】
本発明に係る穿刺アダプタ及び超音波プローブによれば、穿刺アダプタを回動させてガイド溝を覆い、穿刺アダプタとガイド溝により穿刺針をガイドするガイド孔を形成することができ、そのガイド孔によって穿刺針のガイドを安定して行い、または、穿刺アダプタを回動させて、切り欠き部をガイド溝上に位置させてガイド溝を開放することにより容易に穿刺針をガイド溝から外すことができる。
【発明を実施するための最良の形態】
【００１５】
［第１の実施の形態］
以下、本発明の実施形態につき、図面を参照して説明する。
【００１６】
図１は、本発明に係る第１の実施の形態における穿刺アダプタ３が装着された超音波プローブ１の外観図を示す。図１に示すように、穿刺アダプタ３は超音波プローブ１の挿入部１０に装着される。また、本発明の超音波プローブ本体は、超音波プローブ１に該当する。
【００１７】
ここで、図２を用いて、超音波プローブ１、穿刺アダプタ３のそれぞれの各部について説明する。図２は、超音波プローブ１及び穿刺アダプタ３のそれぞれの構成の一例を示す斜視図である。図２に示す超音波プローブ１は、腹腔鏡手術において生体内に挿入して用いられるものである。
【００１８】
超音波プローブ１は、図２に示すように、操作者が把持するための略円筒状のグリップ部１３が設けられ、グリップ部１３の一端側にはケーブル１５が接続され、他端側には、グリップ部１３の軸方向と同一方向に棒状の挿入部１０が延設され、挿入部１０の先端には、超音波の発振および受信を行う振動子配列（図示せず）を備え、挿入部１０の先端側の棒状部分の表面に、挿入部１０の軸方向に沿って穿刺針２（図示せず）をガイドするためのガイド溝１１が設けられている。このガイド溝１１は挿入部１０の先端側から挿入部１０の軸方向中間部に亘って設けられており、このガイド溝１１の終端には、グリップ部１３方向に沿うように、ガイド溝１１の円周方向の位置を示すようにガイドライン１２が形成されている。
【００１９】
穿刺アダプタ３は、図２に示すように、穿刺針２（図示せず）のガイドに用いるガイド部４が一端に設けられ、他端に穿刺アダプタ３を回動させる場合等に操作者がつまむなどにより操作するための操作部５を備える。また、穿刺アダプタ３のガイド部４と操作部５は連結部３３で連結され、一体で構成される。また、図２では、ガイド部４、操作部５及び連結部３３の境界を一点鎖線で示したが、図において境界を説明するためのものであり、実際に描かれているものではない。
【００２０】
ガイド部４は、ほぼ円形の孔を有する筒状部材３１（第１の筒状部材）からなる。筒状部材３１の一端側から他端側に亘り、外側から孔に通じる切り欠き部４０を有し、その切り欠き部４０により筒状部材３１の周方向が不連続となっている。この切り欠き部４０の幅は、少なくとも超音波プローブ１のガイド溝１１の幅であればよい。ここで、ほぼ円形の孔とは、このように切り欠き部４０を有し、周方向が不連続となっている孔をいうものとする。言い換えれば、筒状部材３１の断面はＣ字状となっている。
【００２１】
操作部５は、ガイド部４と同様にほぼ円形の孔を有する筒状部材３２（第２の筒状部材）からなる。筒状部材３２の一端側から他端側に亘り、外側から孔に通じる切り欠き部４１を有し、その切り欠き部４１により筒状部材３２の周方向が不連続となっている。操作部５においては、切り欠き部４１の幅は特にガイド溝１１から規定されない。また、ガイド部４と同様に筒状部材３２の断面はＣ字状となっている。
【００２２】
連結部３３は、ガイド部４及び操作部５の対向する端部を連結する樋状体からなる。また、その樋状体は、連結する筒状部材と同じ曲率を有している。
【００２３】
また、穿刺アダプタ３は、図２に示すようにガイド部４、操作部５及び連結部３３を一つの材料を加工することによって形成されている。材料としては、例えばチタンやステンレスなどの金属板が用いられる。このような金属板を用いることにより、そのバネ性によって締め付け力を発生させて、その締め付け力により装着することが可能となる。このとき、ガイド部４及び操作部５の各筒状部材３１、３２の孔の内径を装着相手（本例では後述の超音波プローブ１の挿入部１０）の外形より小さくすることにより、装着したときに広がることにより、戻ろうとする力を締め付け力として発生させることができる。
【００２４】
また、穿刺アダプタを板金に限らず樹脂を用いて形成してもよい。また、樹脂を用いた場合も樹脂の有するバネ性を利用して、同様に装着することが可能である。
【００２５】
また、筒状部材の外形はその断面が円形に限られるものではなく、多角形などであってもよい。
【００２６】
また、例えば図２に示すように超音波プローブ１の挿入部１０を先端側から穿刺アダプタ３に挿入することにより、穿刺アダプタ３が超音波プローブ１に装着される。ここで、図１に戻り、穿刺アダプタ３は、操作部５が挿入部１０の奥側つまりグリップ部１３側に位置し、ガイド部４が挿入部１０の先端側でガイド溝１１の一部を覆うように装着される。
【００２７】
また、上述したように、穿刺アダプタ３は、ガイド部４の筒状部材３１及び操作部５の筒状部材３２のバネ性による締め付け力で挿入部１０に接しその締め付け力により装着される。したがって、装着された穿刺アダプタ３に対し挿入部１０の周方向（矢印Ａ方向）に、例えば締め付け力により発生する摩擦力などを超える力を加えることにより、容易に穿刺アダプタ３を回動させることが可能である。つまり、穿刺アダプタ３は、挿入部１０の周方向に回動自在に装着されている。
【００２８】
また、穿刺アダプタ３の挿入部１０の軸方向の位置決めは、例えば、挿入部１０のグリップ部１３側に突起（図示せず）を設けてその突起に突き当てるようにしてもよいし、また、穿刺アダプタ３が装着される位置が低くなるような段差（図示せず）を設けて、穿刺アダプタ３がその段差に収まるようにしてもよい。
【００２９】
図３に、穿刺アダプタ３を挿入部１０の周方向に回動させた様子を示す。図３（ａ）には、穿刺アダプタ３を挿入部１０の先端側から見て反時計方向に回動させた場合の断面図を示す。図３（ａ）に示すようにガイド溝１１は、ガイド部４の筒状部材３１に覆われ、ガイド溝１１と筒状部材３１によりガイド孔が形成される。また、図３（ｂ）には、穿刺アダプタ３を挿入部１０の先端側から見て時計方向に回動させた場合の断面図を示す。図３（ｂ）に示すようにガイド溝１１は、その開口部が開放された状態となる。また、穿刺アダプタ３の周方向の回動に対する位置決めは、例えば、挿入部１０に突起（図示せず）や段差（図示せず）を設け、回動させたときに突き当たるようにすればよい。
【００３０】
次に、図４を用いて穿刺針の挿入状態、離脱状態の動作説明を行う。図４（ａ）、（ｂ）は、穿刺アダプタ３を挿入部１０の周方向に回動させた場合の側面図を示した。図４（ａ）は、穿刺アダプタ３を図３（ａ）の位置に回動させたときの側面図で、例えば、腹腔鏡手術において本実施の形態の穿刺アダプタ３を用いて穿刺針２のガイドを行っているときの様子を示す図である。図４（ａ）に示すように、穿刺針２は、ガイド溝１１に沿ってガイドされ、ガイド溝１１とガイド部４の筒状部材３１により形成されるガイド孔を通過し、さらにガイド溝１１に沿ってガイドされる。このとき、穿刺針２にガイド溝１１の開口の方向に移動するような力が加わったとしても、筒状部材３１がガイド溝１１を覆っているため穿刺針２がガイド溝１１から外れることがない。図４（ｂ）は、例えば腹腔鏡手術において、本実施の形態の穿刺アダプタ３を用いて穿刺針２のガイドを行い、穿刺アダプタ３を図３（ｂ）の位置に回動させたときの図である。図４（ｂ）に示すように、ガイド溝１１は、その開口部が開放された状態となり、穿刺針２を外すことができ、超音波プローブ１を取り除いて、穿刺針２だけが刺入された状態にすることができる。また、穿刺針２だけが刺入された状態で、治療を行うことができる。また、超音波プローブ１で別な部分に用いることができる。
【００３１】
ここで、本穿刺アダプタ３の使用態様について腹腔鏡手術に用いて穿刺術を行う場合を更に詳細に図５を用いて説明する。図５は、腹腔鏡手術における本超音波プローブ１の使用態様を説明するための説明図である。図５に示すように、腹壁を公知の気腹法或は吊り上げ法などによって上方に持ち上げ、臓器と腹壁との間に空間を設け、腹部に直径約５〜１０ｍｍ程度の穴を数か所開け、その穴にトラカールを挿入する。また、図示しないが、腹腔鏡や内視鏡が空間に備えていて腹部内部の様子が映像としてＴＶモニタなどに表示されている。そして、穿刺アダプタ３が装着され、図３（ａ）に示した状態にされた超音波プローブ１をトラカールに挿入する。そして、断層画像をＴＶモニタに表示させて、穿刺針２を別のトラカールから挿入し、穿刺針２をガイド部４の手前側のガイド溝１１に沿わせるように先端を入れて、さらに図５に示すようにガイド溝１１とガイド部４の筒状部材３１により形成されるガイド孔を通過させ、さらにガイド溝１１に沿わせて患部の方向に刺入する。
【００３２】
ここで、図５に示すように操作部５がトラカールの外側にある場合には、操作者が操作部５をつまみ、図３（ｂ）の状態になるように挿入部１０の周方向に回動させ、ガイド溝１１を開放する。また、図示しないが穿刺アダプタ３の操作部５がトラカールの内側にある場合には、操作者は、鉗子などをトラカールを介して挿入して、鉗子を用いて腹部内部で操作部５またはガイド部４をつまみ、図３（ｂ）の状態になるように挿入部１０の周方向に回動させ、ガイド溝１１を開放する。そして、穿刺針２を超音波プローブ１から外し、穿刺針２だけが刺入された状態にして、マイクロ波やラジオ波の照射等による温熱治療を行う。
【００３３】
また、穿刺アダプタ３を超音波プローブ１に予め装着した状態でトラカールから挿入するように説明したが、腹腔鏡手術において腹部内部で装着することも可能である。
【００３４】
また、上記のような治療を繰り返して行うときに、穿刺アダプタ３を回動させることによりガイド孔の形成、ガイド溝の開放を繰り返し行うことができ、穿刺アダプタ３を繰り返し着脱する必要がない。
【００３５】
また、図２には、１枚の板金から作成された穿刺アダプタを示したが、図６に示すように、別体として作成された２つ筒状部材３１及び３２を、さらに別体で作成された連結部３３の両端部に、例えば溶接等で固定するようにして作成することも可能である。
【００３６】
また、所謂１インチ・サージェリーに用いられる超音波プローブの場合にも、その挿入部に上述のような穿刺アダプタを装着して穿刺術を行うことが可能である。
【００３７】
［第２の実施の形態］
次に、図７を参照して本発明の第２の実施の形態を説明する。本実施の形態の特徴は、第１の実施の形態と同様に、ガイド部４、操作部５及び連結部３３で構成される穿刺アダプタ３を容易に回動させることができるようにすることにある。
【００３８】
図７は、第２の実施の形態における穿刺アダプタ３の斜視図である。図７に示すように、ガイド部４の筒状部材３１及び操作部５の筒状部材３２に、長穴３４が周方向に沿って複数形成されている。この長穴３４は、例えば操作者がつまんだときの手とガイド部４または操作部５との間の滑り止めとして作用し、操作者が穿刺アダプタ３を回動させやすくなる。また、鉗子を用いる場合にも同様に滑り止めとして作用する。
【００３９】
また、図示しないが、このような滑り止めとして、長穴３４に代えて、凹凸形状や、切り欠きでもよい。また、少なくとも一つの突起でもよい。
【００４０】
ここで、前述の実施の形態では、ガイド部４と操作部５とが、連結部３３を介して設けられた例を示したが、本発明は、前述の操作部５及び連結部３３が無い場合も含む。以下、その実施形態を説明する。
【００４１】
例えば、図８には、ガイド部４に突起３６を設けた穿刺アダプタ３の例を示す。図８（ａ）は、穿刺アダプタ３の斜視図で、図８（ｂ）は、穿刺アダプタ３を挿入部１０に装着したときの側面図である。図８（ｂ）に示すように、ガイド部４が挿入部１０の先端側でガイド溝１１の一部を覆うように装着される。この場合、ガイド部４に対して行う周方向への回動などの操作は、鉗子などをトラカールを介して挿入して、挿入した鉗子を用いて腹部内部でガイド部４の突起３６をつまんで行うことができる。
【００４２】
［第３の実施の形態］
本実施の形態の特徴は、ガイド溝１１とガイド部４の筒状部材３１により形成されるガイド孔への穿刺針２の挿入を容易にすることにある。
【００４３】
図９（ａ）は、第３の実施の形態における穿刺アダプタ３の斜視図で、図９（ｂ）は、第３の実施の形態における穿刺アダプタ３を挿入部１０に装着したときの側面図である。
【００４４】
図９（ａ）に示すようにガイド部４は、第１の実施の形態と同様の筒状部材３１からなる。そして、筒状部材３１の端部のうち、装着したときの挿入部１０の奥側となる端部３５ａ側で、端部３５ａに向かって筒状部材３１の孔の径ｄが径Ｄと大きくなるように斜面３５が形成されている。つまり、図９（ｂ）に示すようにガイド部４は、挿入部１０の奥側に向かって挿入部の表面から離れるような斜面３５を有する。したがって、穿刺針２をガイド溝１１に沿って刺入するときに、穿刺針２の先端が斜面３５によって、ガイド溝１１とガイド部４の筒状部材３１により形成されるガイド孔に案内される。したがって、穿刺針２をガイド溝１１とガイド部４の筒状部材３１により形成されるガイド孔への挿入が容易となる。
【００４５】
［第４の実施の形態］
本実施の形態の特徴は、穿刺針２のガイド溝１１とガイド部の筒状部材３１により形成されるガイド孔の長さを変化させることにある。
【００４６】
図１０（ａ）は、第４の実施の形態における穿刺アダプタ３の斜視図で、図１０（ｂ）及び（ｃ）は、第４の実施の形態における穿刺アダプタ３を挿入部１０に装着したときの側面図である。
【００４７】
図１０（ａ）に示すようにガイド部４は、第１の実施の形態と同様の筒状部材３１からなる。そして、筒の周方向の位置で幅が変化するように形成されている。本例では、切り欠き部４０の一端側から他端側に向かって筒状部材３１の幅が徐々に変化するようにした。これにより、図１０（ｂ）及び（ｃ）に示すように、ガイド溝１１を覆う長さを変化させることが可能となる。例えば、図１０（ｂ）のガイド部４の筒状部材３１は、ガイド溝１１上で長さＬ１であるが、更に穿刺アダプタ３を回動させると図１０（ｃ）に示すようにガイド部４の筒状部材３１は、ガイド溝１１上で長さＬ２となる。このように、ガイド溝１１を覆う長さを変化させることができる。
【図面の簡単な説明】
【００４８】
【図１】本発明に係る第１の実施の形態における穿刺アダプタが装着された超音波プローブの外観を示す斜視図である。
【図２】本発明に係る第１の実施の形態の穿刺アダプタとその穿刺アダプタを装着するための超音波プローブの構成を示す斜視図である。
【図３】（ａ）及び（ｂ）は、穿刺アダプタをそれぞれ異なる方向に回動させたときの様子を示す断面図である。
【図４】（ａ）及び（ｂ）は、穿刺アダプタをそれぞれ異なる方向に回動させたときの様子を示し、それぞれの場合の穿刺針の状態を示す図である。
【図５】腹腔鏡手術における本超音波プローブの使用態様を説明するための説明図である。
【図６】図２に示した穿刺アダプタとは構成の異なる穿刺アダプタを示す斜視図である。
【図７】第２の実施の形態の穿刺アダプタの構成を示す斜視図である。
【図８】（ａ）は、図７とは異なる第２の実施の形態の穿刺アダプタの構成を示す斜視図で、（ｂ）はその穿刺アダプタを超音波プローブに装着した様子を示す図ある。
【図９】（ａ）は、第３の実施の形態の穿刺アダプタの構成を示す斜視図で、（ｂ）はその穿刺アダプタを超音波プローブに装着した様子を示す図ある。
【図１０】（ａ）は、第４の実施の形態の穿刺アダプタの構成を示す斜視図で、（ｂ）及び（ｃ）はその穿刺アダプタを超音波プローブに装着した様子を示す図ある。
【図１１】従来の超音波プローブを示す斜視図である。
【図１２】従来の腹腔鏡手術における本超音波プローブの使用態様を説明するための説明図である。
【符号の説明】
【００４９】
１  超音波プローブ
１０  挿入部
１１  ガイド溝
１２  ガイドライン
１３  グリップ部
１５  ケーブル
２  穿刺針
３  穿刺アダプタ
４  ガイド部
５  操作部
３１  筒状部材
３２  筒状部材
３３  連結部
３４  長穴
３５  斜面
３５ａ  端部
３６  突起
４０  切り欠き部
４１  切り欠き部
【図１】
2008061808.tif 000003
【図２】
2008061808.tif 000004
【図３】
2008061808.tif 000005
【図４】
2008061808.tif 000006
【図５】
2008061808.tif 000007
【図６】
2008061808.tif 000008
【図７】
2008061808.tif 000009
【図８】
2008061808.tif 000010
【図９】
2008061808.tif 000011
【図１０】
2008061808.tif 000012
【図１１】
2008061808.tif 000013
【図１２】
2008061808.tif 000014